(57)【要約】【課題】ＲＦＩＤと取り付け対象の識別ＩＤのペアを誤って関連付けてしまうのを避けること。【解決手段】ＲＦＩＤで識別したい対象物のＩＤ，上記ＲＦＩＤの存在する場所を示すＲＦＩＤ存在場所，上記ＲＦＩＤをリードする手段，リードしたＲＦＩＤとＲＦＩＤで識別したい対象物のＩＤを関連付ける手段，リードと同時にリードした場所を取得する手段，リードした場所とＲＦＩＤ存在場所から、ＲＦＩＤで識別したい対象物のＩＤを得る手段を有する。【選択図】  図１
2011008306.tif 000002
【特許請求の範囲】
【請求項１】
ＲＦＩＤで識別したい対象物のＩＤと、前記ＲＦＩＤの存在する場所を示すＲＦＩＤ存在場所を記憶した記憶手段と、
前記ＲＦＩＤをリードするためのリード手段と、
前記リード手段でリードした場所を取得する場所取得手段と、
前記場所と前記ＲＦＩＤ存在場所より照合して、前記対象物のＩＤを取得する照合手段と、
前記照合手段で照合された対象物のＩＤと前記ＲＦＩＤを関連付け、記憶する関連付け手段を有することを特徴とするＲＦＩＤ登録方式。
【請求項２】
請求項１に記載のＲＦＩＤ登録方式において、
前記ＲＦＩＤで識別したい対象物のＩＤを指定するＩＤ指定手段と、
前記ＩＤ指定手段で指定された対象物のＩＤと、前記照合手段で取得した対象物のＩＤが異なる場合、警告する手段を有することを特徴とするＲＦＩＤ登録方式。
【請求項３】
請求項１または請求項２のいずれか一項に記載のＲＦＩＤ登録方式において、
前記照合手段は前記場所と前記ＲＦＩＤ存在場所のずれを取得し、前記ずれを調整して前記対象物のＩＤを取得するための変換手段を含むことを特徴とするＲＦＩＤ登録方式。
【請求項４】
請求項１乃至請求項３のいずれか一項に記載のＲＦＩＤ登録方式において、
前記ＲＦＩＤ存在場所（タグ位置印刷座標）を印刷する存在場所印刷手段と、
前記存在場所印刷手段による存在場所に置いたＲＦＩＤへの印字を行う印刷手段を有することを特徴とするＲＦＩＤ登録方式。
【請求項５】
識別したい対象物のＩＤのＲＦＩＤをリードする段階と、
前記リードする段階でリードした場所を取得する段階と、
前記リードした場所を取得する段階で取得した場所と、記憶手段に記憶された前記ＲＦＩＤの存在する場所を示すＲＦＩＤ存在場所から、前記記憶手段に記憶された前記ＲＦＩＤで識別したい対象物のＩＤを取得する段階と、
前記取得する段階で取得した対象物のＩＤと前記ＲＦＩＤを関連付けて記憶する段階を有することを特徴とするＲＦＩＤ登録方法。
【請求項６】
請求項５に記載のＲＦＩＤ登録方法において、
前記識別したい対象物のＩＤを指定するＩＤ指定段階と、
前記ＩＤ指定段階で指定されたＩＤと、前記識別したい対象物のＩＤを取得する段階で取得した対象物のＩＤが異なる場合、警告する段階を含むことを特徴とするＲＦＩＤ登録方法。
【請求項７】
請求項５又は請求項６のいずれか一項に記載のＲＦＩＤ登録方法において、
前記リードした場所を取得する段階で取得した場所と前記記憶手段に記憶されたＲＦＩＤ存在場所のずれを取得し、前記ずれを調整して前記対象物のＩＤを取得する段階を含むことを特徴とするＲＦＩＤ登録方法。
【請求項８】
請求項５乃至請求項７のいずれか一項に記載のＲＦＩＤ登録方法において、
前記記憶手段に記憶されたＲＦＩＤ存在場所（タグ位置印刷座標）を印刷する段階と、
前記印刷する段階で印刷する場所に置いたＲＦＩＤへの印字を行う段階を含むことを特徴とするＲＦＩＤ登録方法。
【発明の詳細な説明】
【技術分野】
【０００１】
本発明は、ＲＦＩＤを登録する方式及び方法に関するものである。
【背景技術】
【０００２】
ＲＦＩＤの利用が広まってきている。ＲＦＩＤを現物に取り付け、現物のアプリケーション上の識別ＩＤと関連付けておくことで、現物を確実に識別でき、また、必要情報をすばやく呼び出せて、高信頼化，高効率化を図ることができるためである。
【０００３】
たとえば、ケーブル接続支援アプリケーションでは、ケーブル心線にＲＦＩＤを取り付け、ＲＦＩＤと設計データ上の心線番号を対応付けておき、また、同様に、端子台の端子にＲＦＩＤを取り付け、ＲＦＩＤと設計データ上の端子番号を対応付けておく。これにより、ケーブル心線のＲＦＩＤと端子のＲＦＩＤをペアでリードして、ケーブル心線と端子の接続設計データと照合して、設計どおりの接続かどうかを判断できる。
【０００４】
こうした効果を得るための準備として、ＲＦＩＤを現物のアプリケーション上の識別ＩＤと関連付けておく必要がある。ＲＦＩＤを現物のアプリケーション上の識別ＩＤと関連付けておく方法として特許文献１があげられる。配管にＲＦＩＤを取り付け、配管図のＲＦＩＤ取り付け位置にバーコードを取り付け、ＲＦＩＤとバーコードとを関連付けて登録する。すなわち、ＲＦＩＤで識別したい対象物のＩＤ（バーコード），上記ＲＦＩＤの存在する場所を示すＲＦＩＤ存在場所（配管の位置＝配管図のバーコード位置），上記ＲＦＩＤをリードする手段（リーダ），リードしたＲＦＩＤとＲＦＩＤで識別したい対象物のＩＤを関連付ける手段により、ＲＦＩＤを現物のアプリケーション上の識別ＩＤ（バーコード）と関連付けておく。
【先行技術文献】
【特許文献】
【０００５】
【特許文献１】特開２００７−１４７３５６号公報
【特許文献２】特開２００７−１５１３８３号公報
【発明の概要】
【発明が解決しようとする課題】
【０００６】
本願発明が解決しようとする課題は、ＲＦＩＤと、前記ＲＦＩＤの取り付け対象のもつ固有の識別ＩＤとの対応付けを間違えてしまうヒューマンエラーの抑制である。リーダーを操作するのは人であるため、公知例の場合、間違った位置のタグをリードして、バーコードと関連付けてしまう可能性がある。その結果、対象物に取り付けたＲＦＩＤにリーダーを当ててリードした際、間違った情報が示されることになり、間違った作業を行ってしまう可能性がある。
【課題を解決するための手段】
【０００７】
前記課題を解決するため本発明は、リードとリードした場所を取得する手段、および、リードした場所とＲＦＩＤ存在場所から、ＲＦＩＤで識別したい対象物のＩＤを得る手段、を有することを特徴とする。
【発明の効果】
【０００８】
本発明のＲＦＩＤ登録方式によれば、ペアを誤って関連付けてしまうことを避け、信頼性を向上できるという利点がある。
【図面の簡単な説明】
【０００９】
【図１】ＲＦＩＤ登録するためのシステム構成図概要である。（実施例１）
【図２】台紙の印刷例である。（実施例１）
【図３】台紙にＲＦＩＤタグを貼り付けた例である。（実施例１）
【図４】ＲＦＩＤ登録するためのシステム構成図である。（実施例１）
【図５】ＲＦＩＤ登録するためのフローである。（実施例１）
【図６】ＲＦＩＤ登録するためのフローである。（実施例２）
【図７】位置照合部の位置あわせ動作を説明する例である。
【図８】位置照合部のマージンを定めた位置あわせ動作を説明する例である。
【図９】効率良く台紙に印刷タグを貼り付けるフローを説明する図である。
【図１０】台紙に印字前の白紙ＲＦＩＤタグを貼り付けた例を示す。
【図１１】効率良く台紙に印刷タグを貼り付けるための構成を説明する図である。
【図１２】位置照合部の位置あわせの動作を行うためのブロック図である。
【図１３】基準点とタブレットから入力されたリード座標取得を対応させるためのフローを説明する図。
【発明を実施するための形態】
【００１０】
以下、図面を参照して、本発明の実施例を説明する。ここでＲＦＩＤとは、固有の識別情報を持ったタグのことである。
【実施例１】
【００１１】
ケーブル接続支援システム（特許文献２）のＲＦＩＤ登録方法について述べる。このシステムは、ケーブル心線にＲＦＩＤを取り付け、ＲＦＩＤと設計データ上の心線番号を対応付けておき、また、同様に、端子台の端子にＲＦＩＤを取り付け、ＲＦＩＤと設計データ上の端子番号を対応付けておく。これにより、ケーブル心線のＲＦＩＤと端子のＲＦＩＤをペアでリードして、ケーブル心線と端子の接続設計データと自動照合し、設計どおりの接続かどうかをシステムで自動判断できる。
【００１２】
こうした効果（自動照合，設計どおりの接続かどうかの自動判断）を得るための準備として、ケーブル心線に取り付けるＲＦＩＤと、設計データ上の心線番号を対応付けて（心線番号，ＲＦＩＤ）リストを作成する必要がある。同様に、端子に取り付けるＲＦＩＤと、設計データ上の端子番号を対応付けて（端子番号，ＲＦＩＤ）リストを作成する必要がある。以下、（心線番号，ＲＦＩＤ）リストを例にとって説明するが、端子番号も同様である。（端子番号，ＲＦＩＤ）リスト，（心線番号，ＲＦＩＤ）リストはそれぞれ（端子番号，ＲＦＩＤ）リストのデータ保持部８，（心線番号，ＲＦＩＤ）リストのデータ保持部９に記憶されている。これらは同一データ保持部に保存しても構わない。
【００１３】
ＲＦＩＤ登録手順には以下の二通りあり、アプリケーションによって使い分けるとよい。
（ａ）取り付け後登録方式
ＲＦＩＤをどれでも良いから各心線に取り付け、取り付けた状態を（心線番号，ＲＦＩＤ）リストに記録する。
（ｂ）登録後取り付け方式
あらかじめ、どの心線にどのＲＦＩＤを取り付けるか定めて（心線番号，ＲＦＩＤ）リストを作成し、そのリストにあわせてＲＦＩＤを心線に取り付ける。たとえば、ＲＦＩＤに心線番号を印字する場合には、印字に合わせたＲＦＩＤを心線に取り付けるため、こちらの方式が良い。
【００１４】
図１は、（ａ）取り付け後登録方式を想定したＲＦＩＤ登録方法を実現するシステム構成図である。ＲＦＩＤ登録により、各ケーブル心線とそれに取り付けるＲＦＩＤの対応を（心線番号，ＲＦＩＤ）リスト７に作成するのが目的である。
【００１５】
（心線番号，ＲＦＩＤ）リスト７の初期状態は、ＲＦＩＤで識別したい対象物のＩＤとして、心線番号を、ＲＦＩＤ値は初期値を与えて（心線番号，ＲＦＩＤ＝初期値）リストとしておく。心線番号は、設計データによって端子番号に対応付けられているため、ＲＦＩＤで識別したい対象物のＩＤとして端子番号を用いても良い。
【００１６】
台紙１には、どのケーブル心線にどのＲＦＩＤを取り付けるかの指示情報が印刷されており、各心線に取り付けるＲＦＩＤが所定の位置に両面テープまたはのりで貼り付けられている。ＲＦＩＤには、目視で作業する手がかりとなる心線番号１０が印刷されている。各心線に取り付けるＲＦＩＤが貼り付けられる所定の位置である、上記ＲＦＩＤの存在する場所を示すＲＦＩＤ存在場所（タグ位置印刷座標）は、（心線番号，タグ位置印刷座標）リスト６に定義されている。
【００１７】
リーダー４は、上記ＲＦＩＤをリードする手段である。ＰＣ３のリードしたＲＦＩＤとＲＦＩＤで識別したい対象物のＩＤを関連付ける手段（関連付け部３４）は、リーダー４でリードしたＲＦＩＤを、ＲＦＩＤで識別したい対象物のＩＤである心線番号とともに、（心線番号，ＲＦＩＤ）リスト７に登録する。
【００１８】
タブレット２はＲＦＩＤをリーダーでリードとすると同時に、リードした場所を取得する手段である。ここでは、感圧タブレットを用いて台紙の下に設置する。リーダー４でリードする際に、ＲＦＩＤに押し付けるようにすれば、リードした際のリードされたＲＦＩＤの位置を取得できる。感圧タブレット以外に、赤外線タブレット、静電容量式タブレットなど、他の方式タブレットを用いることもできる。また、固定されたカメラ画像で撮影する、ジャイロセンサーをリーダーにつけておく、ＧＰＳや無線を用いて、リーダー４の位置を取得しても良い。
【００１９】
リーダーでリードした場所とＲＦＩＤ存在場所から、ＲＦＩＤで識別したい対象物のＩＤを得る手段（位置照合部３７）は、リーダー４がＲＦＩＤをリードして信号線１０１を介して送信してきたＲＦＩＤを受信すると、それと同時に信号線１００を介してタブレット２からリーダー４の位置（Ｘｒ，Ｙｒ）を取得する。そして、（心線番号，タグ位置印刷座標）リスト６から、（Ｘｒ，Ｙｒ）をタグ位置印刷座標に含む心線番号を探し、探し出した該当の心線番号と、リードしたＲＦＩＤを、関連付けるための手段に渡す。
【００２０】
図２は、図１の台紙１の例を示している。作業者への指示に必要な情報として、盤番号２１，端子台番号２２，ケーブル番号２３、このケーブルには心線が７本含まれていることを示す心線番号１０，貼られるべきＲＦＩＤに印字される端子番号１１，張られるべき場所を示すタグ位置指示枠２４を記載する。これらを印刷する上での、タグ位置指示枠は（心線番号，タグ位置印刷座標）リスト６に定義されている。基準点２５〜２７も印刷されているが、その理由は、後述の図７にて説明する。図３は、図２のタグ位置指示枠２４に端子番号を印字したＲＦＩＤタグ２８を貼り付けた様子を示す。
【００２１】
図４は、図１のＰＣ内及び周辺の構成を示している。
【００２２】
データ保持部３０では、（心線番号，タグ位置印刷座標）リスト６，（心線番号，ＲＦＩＤ）リスト７を保持する。本実施例では、単一のデータ保持部に心線番号，タグ位置印刷座標）リスト６，（心線番号，ＲＦＩＤ）リスト７を記憶した例を示す。
【００２３】
表示装置３１は、ＲＦＩＤ登録プログラムの表示画面を表示する。データ保持部３０と表示装置３１は、ＰＣの外部にある構成としたが、ＰＣ内にあっても良い。
【００２４】
メイン処理部３２は、システムのメイン処理を行う。プログラムの起動を受け付け、他のメニューがある場合はメニュー指定を受け付けて、ＲＦＩＤ登録のためのメニューにプログラム処理が移る。
【００２５】
端子台ＩＤ指定部３３は、ＲＦＩＤを登録しようとする端子台ＩＤの指定を受け付ける。すなわち、盤番号と端子台番号の入力を受け付け、（心線番号，タグ位置印刷座標）リスト６，（心線番号，ＲＦＩＤ）リスト７の中の、該当する盤番号と端子台番号部位を参照する。このとき、（心線番号，ＲＦＩＤ）リスト７のＲＦＩＤ値が初期値以外の場合は、「すでに登録されている」と作業者に警告を表示すれば、間違った操作を避けることができる。ＲＦＩＤ登録作業は、盤単位、または、端子台番号ごとに処理を受け付けるようにすると、作業者は混乱を感じずにスムーズに作業ができる。図３に示す台紙は、処理を受け付ける単位ごとにページを分けておくと作業しやすい。また、盤番号と端子台番号の入力を受け付けるのであると、盤番号同士，端子台番号同士は連番であることが多く名称が似ているため、また、名称が長いことがあるため、入力間違いや入力に手間取ることが心配される。そこで、端子台番号に数桁の番号をＩＤとしてあらかじめ割り当てておき、端子台ＩＤ指定部３３は、このＩＤを受け付けて、該当する盤番号と端子台番号を表示し、作業者から確認ボタンの押下を受け付けるのでも良い。英数字で３桁であれば、（２６＋１０）の３乗種類の台紙を識別することができる。または、ＩＤとして、台紙にバーコードやＲＦＩＤを取り付けて、これをリーダーでリードしても良い。
【００２６】
関連付け部３４は、リーダー制御部３５からリーダー４がリードしたＲＦＩＤを受け取り、座標点受理部３６からタブレットがリードした座標（Ｘｒ，Ｙｒ）を受け取ると、位置照合部３７に座標（Ｘｒ，Ｙｒ）を渡す。
【００２７】
リーダー制御部３５では、リーダーの制御を行う。
【００２８】
座標点受理部３６ではリーダーでリードした場所をタブレットより受け付ける。
【００２９】
位置照合部３７は座標（Ｘｒ，Ｙｒ）が（心線番号，タグ位置印刷座標）リスト６のどのタグ位置印刷座標に含まれるか調べ、含まれる領域の心線番号ｉを関連付け部３４に返す。関連付け部３４は、心線番号ｉを位置照合部から受けると、（心線番号，ＲＦＩＤ）リスト７の心線番号ｉと対応するＲＦＩＤの値を、リーダー４がリードしたＲＦＩＤに書き換える。
【００３０】
図５は、図４のシステムの動作フローを示している。
【００３１】
手順１で端子台ＩＤ指定部３３により端子台ＩＤ受付を行う。
【００３２】
手順２で端子台ＩＤ指定部３３は終了受付したか？を確認する。端子台に接続される心線すべてにＲＦＩＤが登録されれば終了と判断するほか、終了ボタンを用意しておき、それを選択されれば終了とする。
【００３３】
手順３で関連付け部３４でＲＦＩＤをリードしたことを確認する。リーダー４がリードしたＲＦＩＤを受け取る。
【００３４】
手順４で関連付け部３４は座標点受理部３６からタブレットがリードしたリード座標（Ｘｒ，Ｙｒ）を取得する。リードした一定時間以内のタブレット座標を用いると良い。直前の座標を用いても良い。ただし、直前にリードした位置の座標点と区別するために、直前のリードからペンアップが１回以上あった後の座標点を用いる。そして位置照合部３５にリード座標（Ｘｒ，Ｙｒ）を送信する。
【００３５】
手順５で位置照合部３５は（心線番号，タグ位置印刷座標）リスト６の該当端子台に関するリストの中で、関連付け部より送信されたリード座標（Ｘｒ，Ｙｒ）を含むタグ位置印刷座標を探す。タグ位置印刷座標としてタグ位置矩形の対角の２点（Ｘｍｉｎ＿ｉ，Ｙｍｉｎ＿ｉ）（Ｘｍａｘ＿ｉ，Ｙｍａｘ＿ｉ）で表現すると良い。
【００３６】
手順６で位置照合部３５は、手順５で取得したタグ位置印刷座標（Ｘｍｉｎ＿ｉ，Ｙｍｉｎ＿ｉ）（Ｘｍａｘ＿ｉ，Ｙｍａｘ＿ｉ）と対応付けられた心線番号ｉを取得する。その後、タグ位置印刷座標と対応付けられた心線番号ｉを関連付け部３４に送信する。
【００３７】
手順７で関連付け部３４は心線番号ｉと手順３でリードしたＲＦＩＤを対応付けて、（心線番号，ＲＦＩＤ）リスト７の心線番号ｉと対応するＲＦＩＤの値を書き換える。
【００３８】
これにより各ケーブル心線とそれに取り付けるＲＦＩＤの対応を（心線番号，ＲＦＩＤ）リストとして作成できる。このようにＲＦＩＤのリードした場所を介して心線番号とＲＦＩＤのペアを作成するため、ペアを誤って関連付けてしまうことを避け、信頼性を向上でき、ヒューマンエラーを抑制できる。
【００３９】
図６は、図４のシステムの図５とは別方法の動作フローを示している。この方法は、システム側で心線番号ｉを指定した順に、ＲＦＩＤを登録する。
【００４０】
手順２−１で端子台ＩＤ指定部３３は端子台ＩＤを受付ける。心線番号ｉ＝１〜Ｉとすると、心線番号ｉを初期値１に設定し、手順２−２で心線番号ｉがＩを超えたら終了する。
【００４１】
手順２−３と手順２−４は、図５の説明と同様である。
【００４２】
手順２−５で、位置照合部３７は（Ｘｒ，Ｙｒ）は心線ｉの領域内（Ｘｍｉｎ＿ｉ，Ｙｍｉｎ＿ｉ）（Ｘｍａｘ＿ｉ，Ｙｍａｘ＿ｉ）かどうかを調べる。
【００４３】
手順２−６で、Ｙｅｓであれば、関連付け部３４により心線ｉとＲＦＩＤを対応付けて登録する。手順２−７でメイン処理部３２では心線ｉを更新する。
【００４４】
手順２−５でＮｏであれば、手順２−８でメイン処理部３２は表示装置３１に作業者にリードしたＲＦＩＤの位置が心線Ｉの位置と違う旨を警告して、登録は行わない。
【００４５】
この方法では、あらかじめ対応付けの順番が決まっており、あらかじめ決められた作業通りに作業をおこなえばよいため、ヒューマンエラーを抑制ができ、また、対応関係が間違っている場合警告を行うので、さらに信頼性を向上できる。
【００４６】
図７は位置照合部３７の位置あわせの動作を説明する例である。（心線番号，タグ位置印刷座標）リスト６を参照して図２のようにタグ位置指定枠を印刷装置３８にて印刷すると、プリンターによって位置ずれが生じる心配がある。また、タブレットに台紙１を重ねた際に台紙の位置がずれてしまうと、タブレットで検知したリーダーの位置がリスト６の値と異なる。そこで、これを回避するために、台紙１と、タブレット２の座標を合わせる。次のように行うことで、これを可能とする。まず、図２に示すように、台紙を印刷する際、台紙内に基準点２５〜２７を印刷しておく。この基準点座標は、リスト６の座標系と同じである。そして、ＲＦＩＤを登録するために台紙１をタブレット２に重ねた際、ＲＦＩＤ登録でリーダー４でリードする前に、台紙内の基準点２５〜２７を押さえて、タブレット２の座標点２５−１〜２７−１を得る。リスト６の座標系の基準点は、タブレットの座標系では座標点２５−１〜２７−１に相対するため、点２５−１〜２７−１を基準点２５〜２７に変換するためのアフィン変換関数を得ておく。位置照合部が、リード座標取得（Ｘｒ，Ｙｒ）を取得したら、それを前記アフィン変換かけて得た座標点（Ｘｒ′，Ｙｒ′）を用いて、位置照合を行う。アフィン変換関数を得るのは、図５の手順２以前に、台紙を変えるたび、または、プログラム立ち上げ後、または、作業者が必要と感じた際にメニューで選択して実施する。
【００４７】
位置あわせ後は、台紙１と、タブレット２がずれてしまうと、この機能はうまく動作しない。そこで、ガイドに沿って台紙を置けば基準点が所定の位置にくるようなガイド枠を取り付けて置くと良い。ガイド枠の上部には、台紙１の一部を覆うように台紙の押さえを取り付けて置くと良い。これにより、印刷による位置指定枠のずれが生じても、信頼性ある作業が行える。
【００４８】
図１２に位置照合部の位置あわせの動作を行うための、ブロック図を示す。位置照合部３７はリスト６の座標系の基準点とタブレットから入力されたリード座標取得を対応させるためのアフィン変換関数による変換部４３を含む。
【００４９】
図１３では座標系の基準点とタブレットから入力されたリード座標取得を対応させるための手順について説明する。
【００５０】
手順４−１は印刷装置で基準点を印刷する。
【００５１】
手順４−２で基準点を押す。これは作業員が行う。
【００５２】
手順４−３は位置照合部でタブレットより、押印された場所を受信する。
【００５３】
手順４−４で変換部３７は押された基準点とリスト６の座標を変換するためのアフィン変換関数を得る。
【００５４】
以後、このアフィン変換関数を用いて、位置照合部でのずれを修正し作業を行う。
【００５５】
図８は位置照合部３７のマージンを定めた位置あわせ動作を説明する例である。上述した位置あわせ方法によっても、ＲＦＩＤを台紙１に貼り付けるときのずれが生じる心配がある。そこで、（心線番号，タグ位置印刷座標）リスト６の位置に対して、一定のマージンｘ＿１，ｘ＿２，ｙ＿１，ｙ＿２を取り、位置照合部は、（Ｘｒ，Ｙｒ）または（Ｘｒ′，Ｙｒ′）に対して、（Ｘｍｉｎ＿ｉ−ｘ＿１，Ｙｍｉｎ＿Ｉ−ｙ＿１）（Ｘｍａｘ＿ｉ＋ｘ＿２，Ｙｍａｘ＿ｉ＋ｙ＿２）の矩形領域内かどうかを判断するようにすれば、多少ずれても正しく判断ができる。ただし、となりのＲＦＩＤタグの領域とは重ならないようにマージンを定めないと、隣のタグ領域と判断を間違えてしまう。これにより貼り付けのずれに対応可能となる。
【００５６】
図９は効率良く台紙に印刷タグを貼り付けるフローを説明する図である。図３に示すように、台紙に端子番号を印字したＲＦＩＤタグを貼り付ける場合、印字してからタグを貼ろうとすると、印字種類が多い場合、間違った印字内容のタグを貼り付けてしまうか違いが生じる。そこで、これを間違わないように、しかも効率よく行うには、図９に示すフローにより行う。
【００５７】
手順３−１で台紙（端子台ＩＤ）を印刷し、手順３−２で台紙に白タグを貼付ける。その結果は図１０である。手順３−３で台紙とタグに印字（端子台ＩＤ）する。ここで、ページプリンタを用い、台紙上のタグ位置に各々文字を印字するインクが滴下するようにする。このとき、台紙印刷時に印刷した盤番号と端子台番号と重ねて、または、並べて、再度盤番号と端子台番号を印字すれば、２回に印刷の盤番号と端子台番号が一致しているか、間違って一致していないか、わかりやすく、間違いのない作業ができる。２回の印刷結果は図３である。この方式によれば、作業者が印字内容を調べて、所定の位置に貼り付けるより、間違いがなく早くできる。以下、手順３−４でＲＦＩＤを登録（端子台ＩＤ）する。すなわち、図１等に説明した方式により行う。
【００５８】
図１０は台紙に印字前の白紙ＲＦＩＤタグを貼り付けた例を示す。
【００５９】
図１１は効率良く台紙に印刷タグを貼り付けるための構成を説明する図である。メイン処理部３２は、システムのメイン処理を行う。プログラムの起動を受け付け、メニュー指定を受け付けて、台紙印刷または台紙とタグに印刷のメニューにプログラム処理が移る。台紙印刷部４０は、端子台ＩＤを受けて図９の手順３−１を行う。台紙とタグに印刷部４１は、端子台ＩＤを受けて図９の手順３−３を行う。またタグ印刷装置４２で印刷を行う。これらの構成は、図４に示すＲＦＩＤ登録に関する構成部と同じＰＣ内にあっても良いが、別々のＰＣにあってもかまわない。
【００６０】
本発明のＲＦＩＤ登録方式によれば、ペアを誤って関連付けてしまうことを避け、信頼性を向上できるという効果がある。
【産業上の利用可能性】
【００６１】
ケーブル接続支援アプリケーション以外にも、ＲＦＩＤを用いた一般的なシステムにも適用できる。
【符号の説明】
【００６２】
１  台紙
２  タブレット
３  ＰＣ
４  リーダー
６  （心線番号，タグ位置印刷座標）リスト
７  （心線番号，ＲＦＩＤ）リスト
【図１】
2011008306.tif 000003
【図２】
2011008306.tif 000004
【図３】
2011008306.tif 000005
【図４】
2011008306.tif 000006
【図５】
2011008306.tif 000007
【図６】
2011008306.tif 000008
【図７】
2011008306.tif 000009
【図８】
2011008306.tif 000010
【図９】
2011008306.tif 000011
【図１０】
2011008306.tif 000012
【図１１】
2011008306.tif 000013
【図１２】
2011008306.tif 000014
【図１３】
2011008306.tif 000015